(57)【要約】【課題】  非接触ＩＣカード機能を組み込んだ携帯無線機において、携帯無線機の小型化、軽量化、および低コスト化を目的とする。【解決手段】  送受信用アンテナコイル基板３には、送受信用アンテナコイル４が取り付つけられている。また、送受信用アンテナコイル基板３は、第１開口部を有する。磁性体２は、送受信用アンテナコイル基板３と対向して接着され、第２開口部を有する。筐体１は、所定領域の平面部１６を有する。この平面部１６が磁性体２に対向して接着されている。送受信用アンテナコイル基板３の有する第１開口部１４と、磁性体２の有する第２開口部１５と、平面部１６とは、第１開口部１４から第２開口部１５を経て平面部１６に至る開口部空間１７を形成している。この開口部空間１７に、実装部品を配置することで小型化、軽量化を図る。【選択図】        図１
2005269537.tif 000002
【特許請求の範囲】
【請求項１】
データが記憶されたＩＣと接続され、外部機器と電波の送信と受信との少なくともいずれかを行うループアンテナを有する非接触型ＩＣカードが設けられた無線装置において、
ループアンテナが取り付けられており、かつ、ループアンテナの内側の領域に第１の開口部を有する板状のアンテナ基板と、
磁性体で形成されて、前記アンテナ基板の前記第１の開口部に対応する位置に第２の開口部を有し、前記アンテナ基板が積層される板状の板状磁性体と、
前記アンテナ基板と前記板状磁性体を保有する保有部材を備え、
前記アンテナ基板の第１の開口部と前記板状磁性体の第２の開口部、前記保有部材の表面より構成された開口部空間に配置された実装部品と前記無線装置の筐体内部に内蔵された電子部品とが電気的に接続されたことを特徴とする無線装置。
【請求項２】
前記保有部材は、内部に無線装置を駆動させる電子部品を収納した筐体であることを特徴とする請求項１に記載の無線装置。
【請求項３】
前記無線装置は、
格納する複数の実装部品に画像を表示する表示部を含み、
前記開口部空間には、
前記表示部が配置されていることを特徴とする請求項２記載の無線装置。
【請求項４】
電波の送信と受信との少なくともいずれかを行うループ形状のループアンテナを格納する無線装置において、
ループアンテナの形状に対応した対応ループ形状に形成され、ループアンテナを保持するアンテナ保持部と、
前記アンテナ保持部の保持するループアンテナに対向して接着され、磁性体で形成された磁性体接着部と、
前記磁性体接着部に対向して接着され、磁性体接着部を支持する支持部と
を備え、
前記磁性体接着部は、
前記支持部側に対して反対側に突起し、対応ループ形状に形成された前記アンテナ保持部に保持されるループアンテナをループ方向に対して両側からはさむ複数の突起部を備えたことを特徴とする無線装置。
【請求項５】
電波の送信と受信との少なくともいずれかを行うループ形状のループアンテナを格納する無線装置において、
ループアンテナの形状に対応した対応ループ形状に形成され、ループアンテナを保持するアンテナ保持部と、
前記アンテナ保持部が配置され、磁性体で形成された磁性体接着部と、
前記磁性体接着部に対向して接着され、前記磁性体接着部を支持する支持部と
を備え、
前記磁性体接着部は、
断面の両端が前記支持部側に対して反対側方向へ突起した凹形状断面に形成され、前記凹形状断面の凹形状のくぼみ部に対応ループ形状に形成された前記アンテナ保持部が配置されたことを特徴とする無線装置。
【請求項６】
電波の送信と受信との少なくともいずれかを行うループ形状のループアンテナを格納した無線装置において、
板状体である第１部材と、
板状体の前記第１部材の外周に沿って磁性体を用いて枠形状に形成された第２部材と、
前記第２部材の外周に沿って枠形状に形成され、ループアンテナを自己の内部と自己の外周とのいずれかに保持する第３部材と
を備えたことを特徴とする無線装置。
【発明の詳細な説明】
【技術分野】
【０００１】
この発明は、非接触ＩＣカード機能を組み込んだ携帯無線機の小型、軽量化に関する。
【背景技術】
【０００２】
従来、電磁結合によりＩＣカードと外部読取装置との間で、電力およびデータの送受信を行う非接触ＩＣカードシステムが提案されている。この非接触ＩＣカードシステムに用いられる非接触ＩＣカードは、プリント基板の表面に送受信用コイルが形成されている。
【０００３】
送受信用コイルは、非接触ＩＣカードのアンテナとして機能する。この送受信用コイルに導体金属が接触したり、あるいは近接したりすると、導体金属上に渦電流が生じることが知られている。導体金属上に生じた渦電流は、非接触ＩＣカードと外部読取装置間の電磁結合強度を弱める。このため、渦電流により、非接触ＩＣカードと外部読取装置間の送受信エラーが発生しやすくなるという問題があった。
【０００４】
この問題を解決するため、ＩＣカードのプリント基板のＩＣチップ、あるいは送受信用コイルなどの実装裏面側に、磁性体を用いる技術が開示されている。例えば、アモルファス等のように透磁率が高く、抵抗率の高い磁性体が、接着ないし蒸着された非接触ＩＣカードが提案されている（例えば、特許文献１参照）。
【０００５】
非接触ＩＣカードの機能を有する携帯無線機においては、非接触ＩＣカードのアンテナは、通常、携帯無線機の筐体の表面に配置される。また、アンテナコイルの面積が大きいほど一般的には電気性能にとって有利になる。しかし、そのためには携帯無線機の筐体の表面上に、アンテナコイルを配置する必要があるため、広い面積を確保する必要がある。一方、携帯無線機の筐体の表面には、キーや表示部、スピーカ、コネクタ等が配置されている。新たに非接触ＩＣカード機能を携帯無線機に組み込む場合、非接触ＩＣカードのアンテナを配置する場所が新たに必要となり、携帯無線機自体が大型化してしまう問題があった。そのため、携帯無線機自体を大型化することなく、非接触ＩＣカードのアンテナを配置するための工夫が必要とされる。
【０００６】
また、外部読取装置と非接触ＩＣカードとの電磁結合強度の更なる向上が望まれている。さらに、非接触ＩＣカードのアンテナが携帯無線機の筐体の表面に配置される場合には、筐体に対してアンテナが配置される側と外部読取装置との電磁結合強度は強いが、アンテナが配置される反対側と外部読取装置との電磁結合強度は、アンテナが配置される側に比べて劣る。
【特許文献１】特開平８−１６７４５号公報
【発明の開示】
【発明が解決しようとする課題】
【０００７】
この発明は、携帯無線機に非接触ＩＣカード機能を組み込む場合の、携帯無線機の小型化、軽量化、および低コスト化を目的とする。また、携帯無線機に組込まれた非接触ＩＣカード機能と外部読取装置と間の電磁結合強度の向上を目的とする。
【課題を解決するための手段】
【０００８】
この発明の無線装置は、
データが記憶されたＩＣと接続され、外部機器と電波の送信と受信との少なくともいずれかを行うループアンテナを有する非接触型ＩＣカードが設けられた無線装置において、
ループアンテナが取り付けられており、かつ、ループアンテナの内側の領域に第１の開口部を有する板状のアンテナ基板と、
磁性体で形成されて、前記アンテナ基板の前記第１の開口部に対応する位置に第２の開口部を有し、前記アンテナ基板が積層される板状の板状磁性体と、
前記アンテナ基板と前記板状磁性体を保有する保有部材を備え、
前記アンテナ基板の第１の開口部と前記板状磁性体の第２の開口部、前記保有部材の表面より構成された開口部空間に配置された実装部品と前記無線装置の筐体内部に内蔵された電子部品とが電気的に接続されたことを特徴とする。
【発明の効果】
【０００９】
本発明により、アンテナコイルの中央部の場所を有効利用でき、非接触ＩＣカード機能を備えた携帯無線機を小型化することができる。また、磁性体も少なくて済むので、携帯無線機を軽量化することができる。また、磁性体が少なくて済むので安価に作製することができる。
【発明を実施するための最良の形態】
【００１０】
実施の形態１．
以下、図１〜図８を参照して実施の形態１について説明する。図中、同一又は相当する部分には同一の符号を付して、その説明を簡略し、ないし、省略する。
【００１１】
実施の形態１に係る携帯無線機は、磁性体２と送受信用アンテナコイル基板３に、穴があいていること（開口部を有すること）を特徴とする。実施の形態１では、実施例１〜実施例４を図面に基づいて説明する。
【００１２】
（実施例１）
図１は、実施の形態１に係る携帯無線機の非接触ＩＣカードのアンテナ部２１を示す斜視図である。以下、アンテナ部というときは、非接触ＩＣカードのアンテナ部を意味する。また、図２（ａ）は図１のＡ−Ａ断面を示す図である。アンテナ部２１は、非接触ＩＣカード用ＩＣ２０が設置された筐体１（保有部材の一例）と、筐体１上に配置された磁性体２（板状磁性体の一例）と、磁性体２上に配置された送受信用アンテナコイル基板３（アンテナ基板の一例）と、送受信用アンテナコイル基板３上に形成された送受信用アンテナコイル４（ループアンテナの一例）とから構成されている。また、磁性体２と送受信用アンテナコイル基板３の内側の開口部空間１７には、表示部５１が配置されている。実施の形態１は、開口部空間１７に、表示部５１等の実装部品を配置することを特徴とする。この開口部空間１７に実装部品を配置することで、携帯無線機を小型化することができる。
【００１３】
筐体１とは携帯無線機のケースであり、携帯無線機の送受信機能を実行する無線部、携帯無線機の動作を制御する制御部、データを記憶するメモリなどの電子部品２７（図２）を内部に収納している。送受信用アンテナコイル基板３は、板状であり、送受信用アンテナコイル４が取り付つけられている。また、送受信用アンテナコイル基板３は、送受信用アンテナコイル４が取り付けられた内側の領域がくり抜かれ、「第１開口部１４」を有する。
【００１４】
また、磁性体２は、「板状」の部品である。磁性体について「板状」という場合は、硬い板状の他、ゴム状のシート形状の場合も含むものとする。この磁性体２は、送受信用アンテナコイル基板３と対向して接着されている。そして、送受信用アンテナコイル基板３と同様、「第２開口部１５」を有する。ここで「第２開口部１５」は、後述の図４に示す中央くりぬき部分のことである。また、「第１開口部１４」とは、送受信用アンテナコイル基板３において、図４に示す中央くりぬき部分に相当する部分である。
【００１５】
図２（ａ）に示すように、筐体１は、所定領域の平面部１６を有する。この平面部１６は携帯無線機の筐体１表面の一部分であるので、必ずしも平面である必要はなく、曲面でもよい。この平面部１６が磁性体２に対向して接着されている。第１開口部１４と、第２開口部１５と、平面部１６とは、第１開口部１４から第２開口部１５を経て平面部１６に至る開口部空間１７を形成している。筐体１内部には、回路基板２６上に実装された電子部品２７が収納されており、この電子部品２７と実装部品である表示部５１が信号線２８を介して電気的に接続されている。表示部５１は信号線２８を介して電子部品２７より入力された信号により駆動される。なお、回路基板２６には非接触ＩＣカード用ＩＣ２０を搭載してもよい。
【００１６】
アンテナ部２１は、開口部空間１７に、実装部品を配置する。ここで「実装部品」とは、ループアンテナ以外の携帯無線機を構成する構成部品をいう。例えば、後述のように、画像を表示する表示部、光を発する発光装置、光を受光する受光装置、あるいは音声の入出力装置などある。また、物理的に携帯無線機の表面に出ている必要がある機械的部品も実装部品に含む。例えば、ボタンスイッチ、スライドスイッチ等のスイッチ、表示画面上に配置されるタッチパネル、指紋認証用タッチパネル、電力供給や電気信号の送受をするための電気コネクタ、装飾のためのバッジ、傷付き防止用のゴム足、ストラップを通すための穴がある。
【００１７】
このような実装部品を開口部空間１７に配置することで、携帯無線機の小型化を図ることができる。実施例１では、実装部品の一例として画像を表示する表示部５１を配置する場合を示している。
【００１８】
磁性体２は、通常、黒や銀色の不透明なシートであり、光を通さない。従って、筐体１の表面に表示部５１が配置された場合は、表示部５１の上に、開口部を形成していない磁性体を設置すると光を通さないから画像を見ることはできない。しかし、実施例１のように開口部空間１７を形成して、そこに表示部５１を配置することで画像をみることができる。
【００１９】
図１で示した送受信用アンテナコイル基板３、磁性体２は矩形であるが、これは一例である。送受信用アンテナコイル基板３の第１開口部１４と、磁性体２の第２開口部１５とが開口部空間１７を形成していれば、どのような形状でも構わない。
【００２０】
なお、磁性体２の性質としては、比透磁率の実数成分（μ’）が大きいこと、比透磁率の虚数成分（μ’’）が小さいこと、導電率が小さいことが要求される。
【００２１】
上記説明では、筐体１の表面を保有部材として用いる構成について説明した。しかし、筐体１を保有部材として用いるのではなく、図２（ｂ）に示すように、フレーム３０（保有部材の一例）の上に磁性体２、送受信用アンテナコイル基板３、実装部品２９を配設して構成した非接触ＩＣカードを筐体１内部に収納するように構成してもよい。このように構成した場合であっても、磁性体２、送受信用アンテナコイル基板３それぞれの開口部により形成された開口部空間１７を、実装部品２９を載置する領域として有効に利用できる。
【００２２】
次に、図３〜５を用いて、磁性体２に形成した穴（第２開口部１５）と、通信性能の関係について説明する。従来の技術の説明で述べたように、磁性体２を備える理由は、送受信用アンテナコイル４に導体金属が接触、近接することより、前記導体金属上に渦電流が生じ、この渦電流が非接触ＩＣカードと外部読取装置との電磁結合強度を弱めるため、電磁結合強度の低下防止のためである。そのため、磁性体２に第２開口部１５を形成することにより磁性体２の面積が減少するので、通信性能の劣化が懸念される。しかし、図３に示すとおり、実測による評価では通信性能の劣化はほとんどないことがわかる。
【００２３】
図３は、横軸が磁性体面積（ｍｍ2）を示す。縦軸は、通信距離（ｍｍ）を示している。図３は、図４に示す形状の磁性体２を用いた非接触ＩＣカードの通信距離を測定した図である。図４に示す中央くりぬき部（第２開口部１５）の寸法は、図５に示すように、「中央くりぬき部ａ」から「中央くりぬき部ｄ」の５種類について測定した。図３からは、「中央くりぬき部ａ」から「中央くりぬき部ｄ」の５種類については、ほとんど差がないことがわかる。
【００２４】
以上説明したように、磁性体２及び送受信用アンテナコイル基板３の内側の開口部空間１７に実装部品の一例として表示部５１を配置することにより、携帯無線機を小型化することができる。また、磁性体も少なくて済むので、携帯無線機を軽量化することができ、また、安価に作製することができる。
【００２５】
（実施例２）
次に実施の形態１の別の例として実施例２について説明する。実施例１が、開口部空間１７に表示部５１を配置したのに対して、実施例２は、開口部空間１７に配置する実装部品として受光装置の一例のカメラ装置５２を配置する例を示す。図６は、表示部５１に代えて、カメラ装置５２が開口部空間１７に配置されている状態を示す図である。
【００２６】
実施例１で説明した表示部５１は光を発する発光装置の一種であるが、この表示部５１の他に、携帯無線機に使用される、光を発光または受光する装置（実装部品の一例）として以下のような実装部品がある。例えば、着信や充電状態等を表示するＬＥＤ（Ｌｉｇｈｔ  Ｅｍｉｔｔｉｎｇ  Ｄｉｏｄｅ）である。また、赤外線通信やリモコン機能で使用する赤外線発光装置である。また、静止画や動画の撮影を行ったりバーコード読み取りを行ったりするカメラ装置５２である。上述のように実施例２ではカメラ装置５２を配置した。また、カメラ撮影時に使用するライトやフラッシュである。これらの発光または受光する装置（実装部品）を、実施例１の表示部と同様に、磁性体２及び送受信用アンテナコイル基板３の内側の開口部空間１７に配置する。これにより、携帯無線機を小型化することができる。また、磁性体も少なくて済むので、携帯無線機を軽量化することができ、また安価に作製することができる。
【００２７】
（実施例３）
実施例３は、開口部空間１７に音声入力装置を配置する例である。図７は、開口部空間１７に音声入力装置５３（例えばマイク）を配置した様子を示している。
【００２８】
磁性体は、実施例１で説明した通り、通常、黒色や銀色の不透明なシートであり、光をほとんど通さないが、同様に音もほとんど通さない。従って、筐体１の表面にマイクやスピーカが配置された場合は、これらの上に、開口部を形成していない磁性体を設置すると音を通さないため、音声をマイクへ入力し、あるいは音声をスピーカから聞くことができない。しかし、本実施例のように、開口部空間１７を形成して、そこにマイク、スピーカ等を配置することで、音を入力し、あるいは音を聞くことができる。
【００２９】
音声を入出力する装置として、着信音を鳴らすレシーバ、受話音声を出力するスピーカ、また、マイクがある。これらの音声を入出力する音声入出力装置を、実施例１の表示部５１と同様に、磁性体２及び送受信用アンテナコイル基板３の内側の開口部空間１７に配置する。本実施例では上述のように音声入力装置５３（例えばマイク）を配置した。これにより、携帯無線機を小型化することができる。また、磁性体も少なくて済むので、携帯無線機を軽量化することができ、また安価に作製することができる。
【００３０】
（実施例４）
実施例４は、開口部空間１７にボタンスイッチ５４を配置する例である。図８は、開口部空間１７にボタンスイッチ５４を配置した様子を示している。
【００３１】
磁性体は、ゴム状のシートや、硬い板状体の部品であるため、物理的な物体も通らない。従って、ボタンスイッチ５４のように物理的に携帯無線機の表面に出ている必要がある部品が筐体１の表面に配置された場合、ボタンスイッチ５４の上に、開口部を形成していない磁性体を設置すると携帯無線機の表面からボタンを押すことができない。しかし、本実施例のように開口部空間１７を形成して、そこにボタンスイッチ５４を配置することで、携帯無線機の表面からボタンを押すことができる。
【００３２】
物理的に携帯無線機の表面に出ている必要がある機械的部品としてボタンスイッチ５４の他に、スライドスイッチ等のスイッチ、表示画面上に配置されるタッチパネル、指紋認証用タッチパネル、電力供給や電気信号の送受をするための電気コネクタ、装飾のためのバッジ、傷付き防止用のゴム足、ストラップを通すための穴がある。これらも開口部空間１７に配置可能な「実装部品」に含むまれるものとする。
【００３３】
これらの機械的部品を、実施の形態１と同様に、磁性体２及び送受信用アンテナコイル基板３の内側の開口部空間１７に配置することにより、携帯無線機を小型化することができる。また、磁性体も少なくて済むので、携帯無線機を軽量化することができ、また安価に作製することができる。
【００３４】
以上のように、実施の形態１に係る無線装置は、格納する複数の実装部品に光を発する発光装置を含み、前記開口部空間には、前記発光装置が配置されていることを特徴とする。
【００３５】
以上のように、実施の形態１に係る無線装置は、格納する複数の実装部品に音声を入力する音声入力装置を含み、前記開口部空間には、前記音声入力装置が配置されていることを特徴とする。
【００３６】
以上のように、実施の形態１に係る無線装置は、格納する複数の実装部品に、ボタンを押すことにより入力を受け付けるボタンスイッチを含み、前記開口部空間には、前記ボタンスイッチが配置されていることを特徴とする。
【００３７】
実施の形態１に係る携帯無線機は、開口部空間が形成されているので、実装部品を開口部空間に配置することにより、小型化、軽量化を図ることができる。また、磁性体２は開口部を有するのでその部分の磁性体についてコストを低減することができる。
【００３８】
実施の形態２．
図９を用いて実施の形態２について説明する。実施の形態２は、アンテナ部２２において、磁性体７の断面形状が凹型のように、淵の部分（断面短部）が筐体６と逆側の方向に向いている突起部を備え、この突起部で送受信用アンテナコイル９を挟んでいることを特徴とする。
【００３９】
次に、図９は、アンテナ部２２の構成を示す断面図である。携帯無線機のアンテナ部２２において、送受信用アンテナコイル基板８（アンテナ保持部）は、送受信用アンテナコイル９（ループアンテナ）の形状に対応した「対応ループ形状」に形成されている。図９に示すように、送受信用アンテナコイル基板８は、送受信用アンテナコイル９と形状が類似である。すなわち、送受信用アンテナコイル９が枠形状であるのに対応して、送受信用アンテナコイル基板８も枠形状であり、対応した形状となっている。そして、送受信用アンテナコイル基板８は、送受信用アンテナコイル９を保持している。磁性体７（磁性体接着部）は、送受信用アンテナコイル基板８の保持するループアンテナに対向して接着されている。また、筐体６（支持部の一例）は、磁性体７に対向して接着され、磁性体２を支持する。
【００４０】
そして、磁性体７は、筐体６に対して、図に示す突起方向のように、反対側に突起し、「対応ループ形状」に形成された送受信用アンテナコイル基板８に保持されるループアンテナをループ方向に対して両側からはさむ２つの第１突起部と第２突起部とを備えている。
【００４１】
本実施の形態は、磁性体７の断面形状が凹型のように、淵の部分（断面短部）が筐体６と逆側の方向（Ａ方向）に向いている第１と第２の突起部を備え、この突起部で送受信用アンテナコイル９を挟んでいることを特徴とする。これは、磁性体７が磁束を導く性質があり、磁束が筐体６と反対側（Ａ側）へ導かれるようにするためである。このため、磁性体７の断面形状を凹型のように淵の部分を筐体６と逆側の方向（Ａ方向）に向けている。
【００４２】
これにより、筐体６の方向（Ｂ方向）へ向かう磁束が少なくなる。通常、筐体６は、樹脂成型品に金属メッキ処理を施すなど、導体金属で覆われている。よって、筐体６へ向かう磁束が少なくなると、導体金属に発生する渦電流に起因する非接触ＩＣカードと外部読取装置間の電磁結合強度を弱めるという度合いが小さくなり、通信性能が向上する。
【００４３】
以上説明したように、実施の形態２に係る携帯無線機では、磁性体７の形状を凹型のように淵の部分を筐体６と逆側の方向に向けることにより、通信性能を向上させることができる。
【００４４】
実施の形態３．
次に、図１０を用いて、実施の形態３を説明する。
実施の形態３は、磁性体１１及び送受信用アンテナコイル基板１２が、筐体１０の外周に配置されていることを特徴とする。
【００４５】
図１０は実施の形態３に係る携帯無線機のアンテナ部２３の構成を示す断面図である。
携帯無線機は、電波の送受信を行うループ形状の送受信用アンテナコイル１３を格納している。アンテナ部２３は、その外観が板状体である筐体１０（第１部材の一例）と、筐体１０の外周に沿って枠形状に形成された磁性体１１（第２部材の一例）と、磁性体１１の外周に沿って枠形状に形成され、送受信用アンテナコイル１３を自己の外周に保持する送受信用アンテナコイル基板１２（第３部材の一例）とから構成されている。なお、送受信用アンテナコイル基板１２は、送受信用アンテナコイル１３を自分の外周で保持してもよいし、自分の断面内部に含むように保持しても構わない。筐体１０の外周に送受信用アンテナコイル１３が位置するように保持すればよい。
【００４６】
このように、筐体１０、筐体１０の周囲に配置された磁性体１１、磁性体１１の周囲に配置された送受信用アンテナコイル基板１２、送受信用アンテナコイル基板１２上に形成された送受信用アンテナコイル１３の位置関係を有している。
【００４７】
本実施の形態３は、磁性体１１及び送受信用アンテナコイル基板１２が、筐体１０の周囲に配置されていることを特徴とする。
【００４８】
すなわち、図９に示した構成では、筐体６があるために、送受信用アンテナコイル９からの磁束は、筐体６の方向（図９のＢ方向）へ通りにくい。そのため、筐体６と逆側の方向（Ａ方向）との通信性能は高いが、筐体６の方向（Ｂ方向）における外部読取装置との通信性能は著しく小さくなる。
【００４９】
そこで、図１０に示すように、磁性体１１及び送受信用アンテナコイル基板１２を、筐体１０の周囲に配置することにより、図１０において上側の方向（Ｃ方向）、下側の方向（Ｄ方向）ともに、筐体６に邪魔されることなく、送受信用アンテナコイル１３からの磁束が通りやすい。このため、上側の方向（Ｃ方向）、下側の方向（Ｄ方向）ともに通信性能が向上する。
【００５０】
このように、実施の形態３に係る携帯無線機では、磁性体１１及び送受信用アンテナコイル基板１２を、筐体１０の周囲に配置して、送受信用アンテナコイル１３を筐体１０の外周に配置することにより、筐体の両方向の側において通信性能を高くすることができる。
【００５１】
以上、実施の形態１〜３におけるアンテナ部２１，２２，２３の構成については、非接触ＩＣカードのアンテナに限らず、ＡＭラジオ用アンテナや、地上波アナログテレビ用アンテナ、電波時計用アンテナなどの、形状がループ状になっているアンテナコイルに適用することできる。実施の形態１〜３では、送受信を行う無線機を想定したが、上記のようにＡＭラジオのように受信機にも適用が可能である。また、送信のみを行う送信機にも適用が可能である。このように、実施の形態１〜３を適用したアンテナコイルを使用した設備は、小型化することができる。また、磁性体も少なくて済むので、携帯無線機を軽量化することができる。また、安価に作製することができる。また、通信性能を向上させることができる。また、筐体の両方向において通信性能を高くすることができる。
【図面の簡単な説明】
【００５２】
【図１】実施の形態１における実施例１のアンテナ部を示す図である。
【図２】（ａ）及び（ｂ）は、実施例１の断面を示す図である。
【図３】実施の形態１における磁性体面積と通信距離との関係を示す図である。
【図４】磁性体の形状を示す図である。
【図５】磁性体の具体的寸法を示す図である。
【図６】実施の形態１における実施例２のアンテナ部を示す図である。
【図７】実施の形態１における実施例３のアンテナ部を示す図である。
【図８】実施の形態１における実施例４のアンテナ部を示す図である。
【図９】実施の形態２におけるアンテナ部を示す図である。
【図１０】実施の形態３におけるアンテナ部を示す図である。
【符号の説明】
【００５３】
１  筐体、２  磁性体、３  送受信用アンテナコイル基板、４  送受信用アンテナコイル、５１  表示部、５２  カメラ装置、５３  音声入力装置、５４  ボタンスイッチ、６  筐体、７  磁性体、８  送受信用アンテナコイル基板、９  送受信用アンテナコイル、１０  筐体、１１  磁性体、１２  送受信用アンテナコイル基板、１３  送受信用アンテナコイル、１４  第１開口部、１５  第２開口部、１６  平面部、１７  開口部空間、１８  第１突起部、１９  第２突起部、２０  非接触ＩＣカード用ＩＣ、２１，２２，２３  アンテナ部、２５  凹形状断面、２６  回路基板、２７  電子部品、２８  信号線、２９  実装部品、３０  フレーム。
【図１】
2005269537.tif 000003
【図２】
2005269537.tif 000004
【図３】
2005269537.tif 000005
【図４】
2005269537.tif 000006
【図５】
2005269537.tif 000007
【図６】
2005269537.tif 000008
【図７】
2005269537.tif 000009
【図８】
2005269537.tif 000010
【図９】
2005269537.tif 000011
【図１０】
2005269537.tif 000012